(57)【特許請求の範囲】
【請求項１】
写真フィルムのフレームに形成された画像を画像信号に変換して表示するための写真画像装置において、ボディと、前記ボディに配設され、写真フィルムを位置決めするフィルム位置決め手段と、前記ボディに配設され、前記写真フィルムの画像を画像信号に変換する画像変換手段と、前記ボディに配設され、前記写真フィルム上の一方の縁部に沿って記録されている縦横比情報を検出して縦横比制御信号を生成する縦横比制御信号生成手段と、前記画像変換手段により変換された画像信号をデジタル化し前記縦横比制御信号に合わせたサイズのデジタル画像信号を出力する出力手段と、焼付注文情報を生成する焼付注文情報生成手段と、前記ボディに配設され、前記写真フィルム上の一方の縁部に対向する他方の縁部に沿って焼付注文情報を記録する記録手段とを備えたことを特徴とする写真画像装置。
【請求項２】
前記フィルム位置決め手段が、前記写真フィルム上に配されているフレーム位置インジケータを検出する検出器と、前記フレーム位置インジケータに応答して前記写真フィルムのフレーム位置を制御するコントローラとを含んでいることを特徴とする請求項１記載の写真画像装置。
【請求項３】
前記焼付注文情報生成手段が、ユーザが入力する焼付注文を受入れるインターフェースを含んでいることを特徴とする請求項１記載の写真画像装置。
【請求項４】
前記インターフェースがリモコン装置であることを特徴とする請求項３記載の写真画像装置。
【請求項５】
前記出力手段が、ビットマップ形式、ＪＰＥＧ形式、ＧＩＦ形式、ＴＩＦＦ形式の内の１つの形式であることを特徴とする請求項１記載の写真画像装置。
【請求項６】
縦横比制御信号生成手段が、ユーザが選択できるインターフェースを含んでいることを特徴とする請求項１記載の写真画像装置。
【請求項７】
前記フレーム位置インジケータが、孔、光学マーク、ないしは磁気マークのいずれかであることを特徴とする請求項２記載の写真画像装置。
【請求項８】
前記フレーム位置インジケータが、孔、光学コード信号、ないしは磁気コード信号のいずれかであることを特徴とする請求項２記載の写真画像装置。
【請求項９】
焼付注文情報を写真フィルム上に記録する記録方法において、（ａ）写真フィルムをフィルム載置台上において位置決めするステップと、（ｂ）前記写真フィルム上に形成された画像を画像信号に変換するステップと、（ｃ）前記写真フィルム上の一方の縁部に沿って記録されている縦横比情報を検出して縦横比制御信号を生成するステップと、（ｄ）上記画像信号をデジタル化するステップと、（ｅ）上記縦横比情報に合わせて前記デジタル化画像信号のサイズを変更するステップと、（ｆ）焼付注文情報信号を生成するステップと、（ｇ）前記写真フィルム上の一方の縁部に対向する他方の縁部に沿って前記焼付注文情報を記録するステップとを含んでいることを特徴とする記録方法。
【請求項１０】
更に、サイズが変更されたデジタル化画像信号を、その画像形式を選択的に切換えるステップを含んでいることを特徴とする請求項９記載の記録方法。
【請求項１１】
前記画像形式がビットマップ形式、ＪＰＥＧ形式、ＧＩＦ形式、ＴＩＦＦ形式の内の１つの形式であることを特徴とする請求項１０記載の記録方法。
【請求項１２】
更に、前記縦横比制御信号を変更するステップを含んでいることを特徴とする請求項９記載の記録方法。
【発明の詳細な説明】
【０００１】
【発明の属する技術分野】
本発明は、様々なフレーム・サイズの写真を撮影することのできる写真画像システムの写真画像装置及び記録方法に関する。
【０００２】
【従来の技術】
現在最も広く使用されている写真フィルムは、日本工業規格（ＪＩＳ）並びに国際標準化機構（ＩＯＳ）の規格に定められている３５ｍｍフィルム（１３５系フィルム）である。
【０００３】
米国特許第５０４９９０８号には、写真カメラとそれに使用するフィルムとが記載されており、そのフィルムは、サイズ自体は３５ｍｍであるが、通常の３５ｍｍフィルムに形成されている大きさのスプロケット孔をなくして、有効画像領域のフィルム幅方向の寸法を約３０ｍｍにすることによって、露出に使用することのできる有効フィルム領域を拡大したものである。
【０００４】
更に詳しく、ただし、寸法の細かな端数を無視して説明すると、通常の写真撮影に使用されている在来の３５ｍｍフィルムは、両側の側縁間の寸法である幅寸法が３５ｍｍであり、フィルムの両側の側縁部に沿って、フィルム送り用のパーフォレーション即ちスプロケット孔が列設されている。それら両側のフィルム送り用のパーフォレーションどうしの間の、フィルム幅方向に測った内法寸法は２５ｍｍであり、また、それらパーフォレーションの孔のピッチは４．７５ｍｍである。かかる在来の３５ｍｍフィルムにおけるフレーム（コマ）は、フィルム幅方向に測った幅寸法が２５ｍｍで、フィルム長手方向に測った長さ寸法が３６ｍｍの長方形である。また、そのフレームのピッチは３８ｍｍであり、このピッチの寸法は、フィルム送り用のパーフォレーションの孔のピッチの８倍に相当している。
【０００５】
米国特許第５０４９９０８号に記載されているように、最近の写真カメラのうちには、電子制御によって高精度でモータドライブ動作を行うようにしたものがあり、また、在来のカメラ及びフィルムの殆どに採用されている大形のスプロケット・ホイール及びフィルム・パーフォレーションがなくとも、フィルムの送り移動を高精度に行えるということは、経験的に確認されている。この米国特許第５０４９９０８号に記載されているシステムは、３５ｍｍ写真フィルムに従来形成されていたフィルム送り用のパーフォレーションをなくすことによって、露出に使用可能なフレーム領域の、そのフィルム幅方向に測った幅寸法を、従来はフィルム送り用のパーフォレーションが形成されていた領域にまで拡大したものである。従って、同米国特許に提案されているフィルムでは、有効画像領域が拡大しており、それによって画質の改善が図られている。また、同米国特許には、そのフィルム送り用のパーフォレーションをなくした３５ｍｍフィルムに露出することのできるフレームの大きさとして、４通りの使用可能なフレーム・サイズが記載されている。
【０００６】
それらのフレーム・サイズのうちの１つによれば、３５ｍｍフィルムの有効画像領域内において露出可能なフレームの大きさは、フィルム幅方向に測った幅寸法が３０ｍｍ、フィルム長手方向に測った長さ寸法が４０ｍｍである。このフレーム・サイズのフレームが連続する場合には、それらフレームのピッチを例えば４２．０ｍｍにする。これらのフレーム・サイズ及びピッチの値は、例えばＮＴＳＣ方式等の、現行のテレビジョン放送方式の仕様に合わせて選定されたものである。そのため、このフレーム・サイズでは、フレームの縦横比は３：４になっている。
【０００７】
米国特許第５０４９９０８号に記載されているフレーム・サイズのうちの２つ目は、高精細度テレビジョン（ＨＤＴＶ）の仕様に合わせたものであり、このフレーム・サイズによれば、フレームは、幅寸法が３０ｍｍ、長さ寸法が５３．３ｍｍであり、そのピッチは例えば５７．７５ｍｍである。これらの寸法を有するフレームの縦横比は９：１６になる。
【０００８】
以上に挙げた２通りのフレーム・サイズはどちらもフル・フレーム・サイズであり、残りの２通りのフレーム・サイズはハーフ・フレーム・サイズである。それら２通りのハーフ・フレーム・サイズのうちの一方によれば、フレームは、幅寸法が３０ｍｍ、長さ寸法が２２．５ｍｍ、そのピッチは例えば２６．２ｍｍであり、これは現行のテレビジョン放送方式の仕様に合わせたものである。他方のハーフ・フレーム・サイズによれば、フレームは、幅寸法が３０ｍｍ、長さ寸法が１６．９ｍｍ、そのピッチが例えば２１．０ｍｍであり、これはＨＤＴＶ仕様に合わせたものである。
【０００９】
以上の４通りのフレーム・フォーマットを有するフィルムを、現在一般的に使用されている３５ｍｍフィルム用のフィルム・カートリッジと同形のフィルム・カートリッジに装填して使用するようにしている。
【００１０】
以上の４通りのフレーム・フォーマットのいずれにおいても、フレームの幅寸法は３０ｍｍであるため、フィルムの両側の側縁部の夫々に沿って、フレームの領域とフィルムの側縁との間に幅が約２．５ｍｍの非露出領域が存在することになる。これら両側の非露出領域は、フィルムの形状を平坦に維持したり、フィルムを制御したりするために利用することができ、また、撮影時にデータを読み書きする領域としても利用することができる。
【００１１】
この米国特許に提案されているカメラは、比較的小型軽量に構成することができ、それが可能であるのは、フィルム送り用のスプロケット・ホイールを必要としないからである。
【００１２】
フィルムがフィルム処理工場に集められたならば、何本ものフィルムが一括してバッチ処理されることもあれば、１本ずつのフィルムが個別に処理されることもある。一括バッチ処理の場合には、規模の経済を達成して焼付コストを引き下げるために、毎時数千本という大きな処理速度でフィルム処理を実行する。より詳しくは、露出済フィルムがフィルム処理工場に集められたならば、複数本のフィルムの端部を次々とつなぎ合わせて、連続した１本の長尺のフィルム・ストリップを形成するようにしており、そのフィルム・ストリップがフィルム・マガジンに装填されて後続の処理に回される。
【００１３】
この場合に、つなぎ合わされて連続した１本のフィルム・ストリップとされる複数本のフィルムが、例えば上述の米国特許第５０４９９０８号に開示されているフィルムのように、複数通りのフレーム・フォーマットで露出したフレームを含んでいるフィルムであったならば、フィルム・マガジンに装填された１本の長尺のフィルムに複数通りのフレーム・サイズが混在し、そのために焼付作業に困難を生じることになる。
【００１４】
米国特許第４３８４７７４号と米国特許第５０６６９７１号には、フィルムの露出時に、そのフレーム・サイズをハーフ・サイズとフル・サイズとの間で切り換えられるようにしたカメラが提案されている。これら米国特許に提案されているカメラを用いて露出したフィルムを、一括バッチ処理のためにつなぎ合わせて１本の長尺のフィルム・ストリップにした場合には、その連続した１本のフィルム・ストリップに複数通りのフレーム・サイズが混在することになる。
【００１５】
そのため、フィルム処理工場では、複数通りのフィルム・サイズが混在しているつなぎ合わされたフィルムの自動焼付作業を実行するために、フィルムの現像後に、個々のフレームの中点を表すノッチを形成する作業が必要とされていた。そのためには例えば、米国特許第４５５７５９１号に開示されているように、つなぎ合わされたフィルムの側縁部に作業員が手作業でノッチを形成することもあった。即ち、フィルムの送り移動の制御のためにノッチが必要とされているのである。しかしながら、同米国特許に開示されている方法では、毎時数千本もの処理速度でフィルムを処理することは不可能であり、露出済フィルムの処理コストが比較的高くならざるを得ない。そのため、日本においては、複数通りのフレーム・サイズが混在するフィルムは、フィルム処理工場に受入れてもらえないことがある。
【００１６】
更に世界中のフィルム処理工場を見渡しても、フレームをハーフ・サイズで露出したフィルムは受入れないというところが多く、その理由は、後続の処理及び焼付作業のために１個のフィルム・マガジンに装填したつなぎ合わせた１本のフィルムに、複数通りのフレーム・サイズが混在するのをいやがるからである。この問題の発生原因として、フィルム現像後でなければ、複数通りのフレーム・サイズを認識できないということがある。これに対する解決策の１つとして、露出済のフィルムにマーキング用シールを貼付して、複数通りのフレーム・サイズが混在するフィルムを識別できるようにし、それに該当するフィルムを区分けして、フィルム１本ごとに個別に行う処理及び焼付作業に回すようにすることが考えられる。しかしながら、マーキング用シールを使用するという方法では、上述の問題を本質的に解決することはできない。なぜならば、そのようなマーキング用シールを何年にも亙って供給し続けることは容易でないからである。
【００１７】
【発明が解決しようとする課題】
従って、本発明の目的（課題）の１つは、従来から提案されている様々なシステムに付随している上述の短所を払拭することのできる可変フレーム・サイズの写真システムを提供することにある。
【００１８】
本発明の別の目的の１つは、画像の焼付作業に先立って写真フィルム上に形成されている画像をビデオ表示することのできる写真ビデオ画像システムを提供することにある。
【００１９】
本発明の別の目的の１つは、ユーザが写真フィルム上に記録した注文情報に応答して連続する一連の写真フィルムの焼付作業を自動的に行うことのできる写真フィルム焼付機を提供することにある。
【００２０】
【課題を解決するための手段】
本発明写真画像装置は、写真フィルムのフレームに形成された画像を画像信号に変換して表示するための写真画像装置において、ボディと、このボディに配設され、写真フィルムを位置決めするフィルム位置決め手段と、このボディに配設され、この写真フィルムの画像を画像信号に変換する画像変換手段と、このボディに配設され、この写真フィルム上の一方の縁部に沿って記録されている縦横比情報を検出して縦横比制御信号を生成する縦横比制御信号生成手段と、この画像変換手段により変換された画像信号をデジタル化しこの縦横比制御信号に合わせたサイズのデジタル画像信号を出力する出力手段と、焼付注文情報を生成する焼付注文情報生成手段と、このボディに配設され、この写真フィルム上の一方の縁部に対向する他方の縁部に沿って焼付注文情報を記録する記録手段とを備えたものである。
【００２１】
本発明記録方法は、焼付注文情報を写真フィルム上に記録する記録方法において、（ａ）写真フィルムをフィルム載置台上において位置決めするステップと、（ｂ）前記写真フィルム上に形成された画像を画像信号に変換するステップと、（ｃ）前記写真フィルム上の一方の縁部に沿って記録されている縦横比情報を検出して縦横比制御信号を生成するステップと、（ｄ）上記画像信号をデジタル化するステップと、（ｅ）上記縦横比情報に合わせて前記デジタル化画像信号のサイズを変更するステップと、（ｆ）焼付注文情報信号を生成するステップと、（ｇ）前記写真フィルム上の一方の縁部に対向する他方の縁部に沿って前記焼付注文情報を記録するステップとを含んでいるものである。
【００２３】
本発明の上述の目的、特徴及び利点並びに更なる目的、特徴及び利点が、本発明の具体的な実施の形態についての以下の説明から明らかとなるであろう。以下の説明は添付図面と併せて参照されたい。なお、添付図面において、同一ないし対応する要素には同一ないし対応する参照番号を付してある。
【００２４】
【発明の実施の形態】
これより添付図面を参照しつつ、本発明の実施の形態について説明して行く。先ず、図１、図２、それに図３の（Ａ）及び（Ｂ）を参照して、本発明にかかる３５ｍｍカメラに使用可能な３５ｍｍ写真フィルム１について説明する。図１及び図２は、露出済の３５ｍｍ写真フィルム１を示したものであり、図３の（Ａ）及び（Ｂ）は、未露出の３５ｍｍ写真フィルム１を示したものである。
【００２５】
図３の（Ａ）及び（Ｂ）に示すように、３５ｍｍ写真フィルム１は、フィルム・カートリッジ１６に装填されており、その一端がフィルム・カートリッジ１６の外へ延出している。この３５ｍｍ写真フィルム１上に撮影された画像は、レンズによって上下が逆さまにされているため、画像の上部が写真フィルム１の下部に位置している。図３の（Ｂ）には、一例として、被写体の撮影された画像を破線で示してあり、この画像は、図示の如く、写真フィルム上に上下が逆さまになっている。
【００２６】
図１、図２、それに図３の（Ａ）及び（Ｂ）に示した夫々の写真フィルム１はいずれも、一列に並んだフィルム位置検出孔１９を備えており、それらフィルム位置検出孔１９は、写真フィルム１の非露出領域である両側の側縁部余白領域のうちの一方に画成されており、この側縁部余白領域の幅は約２．５ｍｍである。非露出領域であるこの側縁部余白領域は、フィルムの制御に利用され、また磁気的または光学的にデータを読み書きする領域として利用され、撮影時にも利用される。フィルム位置検出孔１９は、その直径が約１ｍｍであり、一定の間隔をあけて所定のピッチで列設されている。例えば図１に示した写真フィルム１では、フィルム位置検出孔１９のピッチは５．２５ｍｍであり、図２に示した写真フィルム１では、フィルム位置検出孔１９のピッチは６．２８ｍｍである。
【００２７】
図示したようなフィルム位置検出孔１９の替わりに、所定の一定ピッチで列設した一連の磁気マーク１９′を用いることも可能であり、それら磁気マーク１９′は、適当な磁気ヘッドを用いて、フィルムの非露出領域に形成されている磁性側縁部１９″上に形成すればよい。図４の（Ａ）及び（Ｂ）では、磁気マーク１９′を破線で描いているが、これは、それらマークが実際には目に見えないものだからである。更に別法として、マーク１９′を、フィルムの非露出領域に付着形成した、例えば鉄の酸化物や透明磁性体等の磁性材料の点状付着物とし、それを磁気ヘッドで検出するようにすることも可能である。両側の側縁部余白領域のうち、孔１９または磁気マーク１９′が画成されている方の側縁部余白領域１９″とは反対側の側縁部余白領域は、図１に示したように注文情報領域として利用することができる。注文情報領域については後に詳しく説明するが、この注文情報領域への記録は写真画像システムによって行われ、写真ビデオ焼付システムがこの注文情報領域を利用する。
【００２８】
フィルム位置検出用の孔１９または磁気マーク１９′の間隔のピッチを、夫々５．２５ｍｍ及び６．２８ｍｍにした２種類の写真フィルム１について、サイズの異なったフレームを送り移動する際の距離（送り移動量）を下の表１に示した。
【００２９】
【表１】
0003726348.tif 000002
【００３０】
図３の（Ａ）に示した写真フィルム１では、フィルム位置検出孔１９が形成されているのは、この写真フィルム１の露出後に上側として扱われる側の側縁部余白領域であるが、この写真フィルム１はその先端に舌部を形成していないため、舌部の切除工程が不要である。舌部の切除工程が不要であることから、写真フィルム１の後続の工程の費用が軽減されている。これは、図４の（Ａ）に示したフィルムについてもいえることである。
【００３１】
図３の（Ｂ）に示した写真フィルム１でも、フィルム位置検出孔１９が形成されているのは、この写真フィルム１の露出後に上側として扱われる側の側縁部余白領域であり、この写真フィルム１では、下側となる部分に舌部が形成されている。この写真フィルム１の先端に形成されているこの舌部は、現在広く一般的に販売されている通常の３５ｍｍ写真フィルムの舌部とは、上下が反対の側に形成されている。フィルム位置検出孔１９を検出するためにカメラにフォトカプラを装備している場合には、この写真フィルム１をカメラに装填する際にフィルム位置検出孔１９が形成されている側の側縁部余白領域を手でそのフォトカプラに挿入する必要はなく、その側縁部余白領域は、写真フィルム１がカメラのフィルム送り機構によって巻取られる際に自動的にそのフォトカプラに挿入されて行く。これは、図４の（Ｂ）に示したフィルムについてもいえることである。
【００３２】
図１、図２並びに図３の（Ａ）及び（Ｂ）に示した写真フィルム１を使用することのできる写真カメラの１つの実施の形態を図５〜図８及び図１０に示した。以下に、それらの図を参照しつつ、この実施の形態にかかる写真カメラについて説明して行く。図５は、裏蓋即ちカバーを除去したこの写真カメラの背面図である。裏蓋は図６に示してある。この写真カメラは暗箱部４を備えており、この暗箱部４は、カートリッジ１６を装填するための公知構造のカートリッジ収容室１７と、カートリッジ収容室１７の近傍の露出用開口部７と、露出済の写真フィルム１を収容するためのフィルム・ハウジング１８とを備えている。露出用開口部７は、写真フィルム１を、図５には示していないカメラ・レンズ、絞り、及びシャッタを通過した光に露出させるためのものである。
【００３３】
写真フィルム１は、カートリッジ収容室１７に装填されたフィルム・カートリッジ１６から引き出され、上側の一対のフィルム・ガイド３０、３１と下側の一対のフィルムガイド３０、３１とによって上下方向の移動を規制された状態で露出用開口部７へ送られ、更に、露出された後にフィルム・ハウジング１８の中へ送られる。
【００３４】
フィルム・ハウジング１８は、写真フィルム１を自動的に装填するためのガイド・ローラ３２と、露出済の写真フィルム１を巻取るための、図８に番号１０を付して示したモータによって回転可能なフィルム巻取りスプロール９とを備えている。
【００３５】
この写真カメラは、フィルム位置検出孔１９を検出するための発光ダイオード（ＬＥＤ）５ａと光電検出器とを備えている。ＬＥＤ５ａは、下側の一対のフィルム・ガイド３０、３１の間に配設されており、光電検出器は、図６に番号５ｂで示したように、写真フィルム１を間に挟んでＬＥＤ５ａと対向する位置に位置するよう裏蓋の圧板に取付けてある。光電検出器５ｂの直径は例えば１．５ｍｍである。
【００３６】
ＬＥＤ５ａは、写真フィルム１が感光性を有する波長領域から外れた、波長が９４０ｎｍの赤外線を射出する。図８について説明すると、ＬＥＤ５ａと光電検出器５ｂとの組合せによって、孔センサ５が構成されており、この孔センサ５は、マイクロコンピュータで構成したシステム・コントローラの中のカウンタへ出力信号を供給している。このようにして、システム・コントローラ８は、露出用開口部７における写真フィルム１の位置を認識することができる。ＬＥＤ５ａ及び光電検出器５ｂの替わりに、同じくＬＥＤと光電検出器とで構成するが、後に説明するように、それらを互いに逆向きに配設した構成のフォトカプラを用いるようにすることも可能である。
【００３７】
更に別法として、ＬＥＤ５ａの替わりに図９に示すように磁気ヘッド５ｃを使用して、未露出状態のフィルムに予め形成されている側縁部余白領域１９″上に存在している、図４の（Ａ）及び（Ｂ）に示した磁気マーク１９′を検出させるようにしてもよい。
【００３８】
図５において、露出用開口部７の大きさは、この露出用開口部７の両側から幅方向に可動な左右の可動マスク部材１５によって規定される。この露出用開口部７の、写真フィルム１の長手方向における寸法は、４通りの寸法、即ち５３．３３ｍｍ、４０．００ｍｍ、２２．５ｍｍ、及び１６．９０ｍｍのうちの１つに選択的に変更することができ、図５には、これら４通りの寸法を、４対の破線で示してある。
【００３９】
図７及び図１０に示したように、左右の可動マスク部材１５は、露出用開口部７の両側に位置している左右の側壁部の中へ夫々引き込めるようにしてあり、それら左右の側壁部は、写真フィルム１の、露出用開口部７を横断して延在している部分に対してほぼ垂直に延びている。図８に示すように、２つの可動マスク部材１５の下縁部に、各々１本ずつの直線状の歯付きのバー部材３３を取付けてあり、夫々の歯付きバー部材３３には、ギアボックス３５の２個の駆動送り用歯車３４の各々が噛合しており、ラック・アンド・ピニオン機構と同様の構成となっている。ギアボックス３５の２個の駆動送り歯車３４が駆動されて回転すると、２本の直線状の歯付きバー部材３３が、従って２個の可動マスク部材１５が、露出用開口部７において直線移動する。
【００４０】
図５及び図８に示すように、この写真カメラは、フレーム・サイズ設定スイッチ６を備えており、カメラのユーザは、この設定スイッチ６を手動操作することによって、選択すべきフレーム・サイズを表すコマンド信号を発生させることができ、ここでいう選択すべきフレーム・サイズとは、上掲の表１に記入してあるフレーム・サイズのうちの１つである。ユーザがフレーム・サイズ設定スイッチ６を操作してフレーム・サイズを選択したならば、フレーム・サイズ設定スイッチ６は、コマンド信号をシステム・コントローラ８へ供給し、するとシステム・コントローラ８は、ステッピング・モータ駆動回路１３を介してステッピング・モータ１４へ、所望のフレーム・サイズを達成するための制御信号を供給する。ステッピング・モータ１４は、付勢されたならば、２個の送り用歯車３４を回転させて、２個の可動マスク部材１５を移動させる。可動マスク部材１５が移動するのと同時に、孔センサ５が、検出されたフィルム位置を表すフィルム位置信号を発生してそれをシステム・コントローラ８へ供給する。システム・コントローラ８は、供給されたフィルム位置信号を処理して制御信号を発生する。システム・コントローラ８は、更に、その制御信号を、増幅回路３６を介してモータ１０へ供給し、このモータ１０は、フィルム・スプール９を回転させて、写真フィルム１を所定長さだけ巻取る。
【００４１】
このとき写真フィルム１が駆動される駆動量（長さ）は、フレーム・サイズ設定スイッチ６によって決定された距離に対応している。写真フィルム１の送り動作について、以下に、図１１の（Ａ）〜（Ｅ）を参照して説明する。それらの図に示した具体例は、孔のピッチが６．２８ｍｍの場合であって、しかも写真フィルム１の露出が、ＨＤＴＶ適合フル・サイズである３０ｍｍ×５３．３ｍｍというフレーム・サイズと、ＮＴＳＣ適合フル・サイズである３０ｍｍ×４０ｍｍというフレーム・サイズとの、２通りで行われる場合のものである。
【００４２】
図１１の（Ａ）は、ＮＴＳＣ適合フル・サイズのフレームを連続して露出したときの写真フィルム１の一部分を示した図である。写真フィルム１を、孔１９のピッチにして７ピッチ分送り移動することによって、３０ｍｍ×４０ｍｍのフレーム領域を、露出用開口部７を介して露出できるようになる。フレーム・サイズをＮＴＳＣ適合フル・サイズからＨＤＴＶ適合フル・サイズへ切換えるには、図１１の（Ｂ）に示すように、写真フィルム１を孔１９のピッチにして８ピッチ分送り移動すればよく、それによって、３０ｍｍ×５３．３ｍｍのフレーム領域を、露出用開口部７を介して露出できるようになる。写真フィルム１にＨＤＴＶ適合フル・サイズのフレームを連続して露出する場合には、図１１の（Ｃ）に示すように、写真フィルム１を、孔１９のピッチにして９ピッチ分送り移動すればよく、それによって、３０ｍｍ×５３．３ｍｍのフレーム領域を、露出用開口部７を介して露出できるようになる。フレーム・サイズをＨＤＴＶ適合フル・サイズからＮＴＳＣ適合フル・サイズへ切換えるには、図１１の（Ｄ）に示すように、写真フィルム１を孔１９のピッチにして８ピッチ分送り移動すればよく、それによって、３０ｍｍ×４０ｍｍのフレーム領域を、露出用開口部７を介して露出できるようになる。
【００４３】
フレーム・サイズを切換える際には、システム・コントローラ８がモータ１０を次のように制御する。先ず、フレーム・サイズをＮＴＳＣ適合フル・サイズからＨＤＴＶ適合フル・サイズへ切換える際には、最初に写真フィルム１を孔１９のピッチにして７ピッチ分駆動し、続いて更に１ピッチ分駆動する。ＨＤＴＶ適合フル・サイズからＮＴＳＣ適合・フルサイズへ切換える際には、最初に写真フィルム１を孔１９のピッチにして９ピッチ分前方へ駆動し、続いて１ピッチ分逆方向へ駆動する。
【００４４】
フレーム・サイズの切替時には、写真フィルム１を異なった距離だけ、即ち異なったピッチ数分だけ駆動するようにしてもよく、例えば、図１１の（Ｅ）に示すように、孔１９のピッチにして１０ピッチ分駆動するようにしてもよい。そうすれば、写真フィルム１を、容易に様々なフレーム・サイズで露出することができる。
【００４５】
図１１の（Ａ）〜（Ｅ）に示すように、この写真カメラのシステム・コントローラは、様々なフレーム・サイズで露出した場合にも、フレームどうしが一部重なって写真フィルム１が露出されることがないように、写真フィルム１を送り移動している。
【００４６】
図１１の（Ａ）〜（Ｅ）について説明した手順は、図４の（Ａ）及び（Ｂ）に示したフィルム上に形成されている磁気マーク１９′にも全く同じように適用される。
【００４７】
図１及び図２は、サイズが異なったフレーム３を形成するように有効露出領域の露出を行った写真フィルム１を示している。図の写真フィルム１は、幅寸法が３０ｍｍ、長さ寸法が５３．３ｍｍ、そして縦横比が９：１６のＨＤＴＶ適合フル・サイズと、幅寸法が３０ｍｍ、長さ寸法が４０ｍｍ、そして縦横比が３：４のＮＴＳＣ適合フル・サイズとの２通りのフレーム・サイズで露出されている。孔１９は、この写真フィルム１の上側の側縁部余白領域内にピッチ５．２５ｍｍで列設されている。
【００４８】
図２の写真フィルム１も同様に、ＨＤＴＶ適合フル・サイズとＮＴＳＣ適合フル・サイズとの２通りのフレーム・サイズで露出されているが、図１のものとは異なり、図２の写真フィルム１の上側の側縁部余白領域内に列設されている孔１９のピッチは６．２８ｍｍである。図２の写真フィルム１では、ＨＤＴＶ適合フル・サイズのフレーム１つ分は、孔１９のピッチにして９ピッチ分に対応しており、ＮＴＳＣ適合フル・サイズのフレーム１つ分は、孔１９のピッチにして７ピッチ分に相当している。これらのピッチ数はいずれも奇数であるため、フレームの中点に１つの孔１９がくるようにすることができ、それによって、フレームの中点を容易に検出できるようになる。
【００４９】
図５及び図８に示すように、この写真カメラは、シャッタ・レリーズ・ボタン３７を備えている。シャッタ・レリーズ・ボタン３７が押下されたならば、システム・コントローラ８は、露出領域のサイズの制御を行うと共に、マーク記録回路３８へ、中点マークを記録させるための制御信号を供給する。この制御信号は有効露出領域位置信号と呼ばれ、フレーム３の中点を表す信号である。更にシステム・コントローラ８は、フレーム番号記録回路３９へ、フレーム番号を記録させるための制御信号を供給する。マーク記録回路３８は、下側の一対のフィルム・ガイドに配設されているＬＥＤ４０を付勢して、図１及び図２に示した、露出済フレーム３の中点を表す中点マーク４０ａを記録させる。フレーム番号記録回路３９は、同じく下側の一対のフィルム・ガイド３０、３１に配設されている別のＬＥＤ４１を付勢して、図１及び図２に示した、露出済フレーム３のフレーム番号を表すフレーム番号４１ａを記録させる。フレーム番号４１ａは、実際のフレーム番号と一致させて記録することができる。
【００５０】
別法として、図１２に示すように、ＬＥＤ４０の替わりに磁気ヘッド４０′を使用して、未露出状態のフィルムに予め形成されている余白領域１９″に、中点マークを記録するようにしてもよい。同様に、別の磁気ヘッド４１′を用いてフレーム番号を記録するようにしてもよい。
【００５１】
システム・コントローラ８は更に、フレーム・サイズ記録回路１１へ、フレーム・サイズ信号を記録させるための制御信号を供給し、この制御信号は、有効露出領域幅信号と呼ばれており、露出済フレーム３のフレーム・サイズを表している信号である。フレーム・サイズ記録回路１１は、下側の一対のフィルム・ガイド３０、３１に配設されているＬＥＤ１２を付勢して、図１及び図２に示したフレーム・サイズ信号１２ａを記録させる。
【００５２】
別法として、図１２に示すように、ＬＥＤ１２の替わりに磁気ヘッド１２′を使用して、未露出状態のフィルムに予め形成されている余白領域１９″に、フレーム・サイズ信号を記録するようにしてもよい。
【００５３】
図４の（Ａ）及び（Ｂ）に示したフィルム上の磁気マーク１９′を検出する磁気ヘッド５ｃが、バッファ増幅回路５ｄ等の再生用増幅回路を介してシステム・コントローラ８に接続している。
【００５４】
ＬＥＤ１２は、４個のＬＥＤ素子で構成し、それら素子を選択的に付勢することによって、フレーム・サイズ設定スイッチ６によって設定されるフレーム・サイズを表す４通りのフレーム・サイズ信号１２ａのうちの、１つを記録するような構成とすることができる。それら４通りのフレーム・サイズ信号１２ａの具体例を下の表２に示した。
【００５５】
【表２】
0003726348.tif 000003
【００５６】
中点マーク４０ａ及びフレーム・サイズ信号１２ａは、フレーム位置とフレーム・サイズとに関する情報を、以下に説明する自動焼付機に供給して、露出されて処理されたフィルムの焼付けを行う際にその自動焼付機を制御する。
【００５７】
露出されたフィルムの焼付けを行う際に、前後の中点マーク４０ａの間隔を測定することによってもフレーム・サイズを認識することができるが、フレーム・サイズ信号１２ａを利用することによって自動焼付機の処理速度を高速化することができる。
【００５８】
写真フィルム１が露出されると同時に、システム・コントローラ８は、情報記録回路４２へ、所望の情報を記録させるための情報信号を供給する。情報記録回路４２は、上側の一対のフィルム・ガイドに配設されているＬＥＤ４３を付勢して、図１及び図２に示したように、写真フィルム１の下側の側縁部余白領域にその情報４３ａを記録する。この情報４３ａは、カメラのレンズ及びカメラそれ自体から露出時に供給されるところの、例えば撮影日付、撮影者名、露出条件等の情報であることもあり、或いはまた、ユーザがカメラ・ボディ１０の裏蓋の外面に装備されているキー・パッド等の入力デバイス４４を介して入力するその他の情報であることもある。情報４３ａの情報量、即ち記録可能な文字数は、フレーム・サイズに左右され、入力デバイス４４のディスプレイ・パネル４４ａ上に表示される。ＬＥＤ４３は、フレーム・サイズに応じて選択的に付勢される複数のＬＥＤ素子から成る。
【００５９】
情報４３ａを記録するための最適位置並びに孔１９ないし磁気マーク１９′を画成するための最適位置を、ユーザにとっての利便性という観点、並びにそれら位置がユーザに与える心理的影響という観点から決定するための解析を行った。この解析の結果は次の通りである。
（１）フィルムの有効露出領域の外側の側縁部余白領域は上側と下側とに画成されるが、いずれの側の側縁部余白領域も、ユーザ入力情報を記録するための記録帯として利用可能な場合には、その情報が、印画紙の上側の余白縁部にくるよりも、下側の余白縁部にくるようにする方が好ましい。
（２）フィルム処理工場における現像及び焼付作業に関して調べたところ、多くの場合、フィルムそれ自体についての情報（フィルム情報）がネガフィルムに写し込まれており、しかもその写し込みの位置は、フィルム情報が印画紙の上側の余白縁部にくるような位置であることが分かった。このフィルム情報と、ユーザ入力情報を記録するための記録帯とが、混じり合わないようにすることが望ましい。
【００６０】
以上の結果から、フィルム位置検出孔１９は、フィルムの有効露出領域の、露出の際に上側となる方に画成することが好ましい。
【００６１】
図５〜図８を参照して上述したように、本発明にかかる写真カメラは、写真フィルム１の送り移動を検出するための検出手段５ａ、５ｂと、フィルム制御システム８、９、１０とを備えたものであり、フィルム制御システムは、写真フィルム１の送り移動量を制御し、検出手段５ａ、５ｂから供給される検出信号に基づいて、選択された露出用開口部７の幅寸法に応じた長さの分だけ写真フィルム１を駆動し、また更に、複数の信号記録デバイス８、１１、１２、３８、４０を制御するものであり、それら信号記録デバイスは、露出用開口部７の近傍に配設されていて、露出用開口部７を介して写真フィルム１の露出が行われる際に、その写真フィルム１に対する露出用開口部７の位置を表す信号を記録するものである。
【００６２】
この写真カメラを使用して上述の写真フィルム１を露出したならば、その写真フィルム１を処理した後には、図１に示したように、その写真フィルム１の信号記録領域２１に複数の制御信号が記録されており、それら制御信号が、その写真フィルム１の焼付作業において利用される。そのため、現像後に写真フィルム１に複数通りのフレーム・サイズのフレームが混在していることが判明した場合であっても、フレームごとに個別の調節を施すことなく、自動焼付機による自動焼付作業を行うことができる。
【００６３】
本発明にかかる写真カメラは、また、写真フィルム１の送り移動ないし駆動を制御するフィルム制御システム８、９、１０と、露出用開口部７の、写真フィルム１の長手方向の寸法である幅寸法を変化させるための開口部制御システム８、１３、１４、１５とを備えたものである。少なくとも露出用開口部７の幅寸法が小寸法から大寸法へ変更されたときには、フィルム制御システム８、９、１０は写真フィルム１を、露出用開口部７の選択された幅寸法に対応した長さだけ駆動する。
【００６４】
即ち、露出用開口部７の幅寸法は可変であり、写真フィルム１の巻取りないし駆動は、この露出用開口部７の幅寸法に応じて制御される。この写真カメラによれば、前後のフレームのフレーム・サイズが異なる場合であっても、それらフレームどうしが一部重なるということがなく、所望の様々なフレーム・サイズのフレームを連続して写真フィルム１上に露出することができる。
【００６５】
図１に示すように、本発明にかかる写真カメラに使用する写真フィルム１は信号記録領域２１を有するものであり、この信号記録領域２１は、写真フィルム１の、有効露出領域２０と夫々の側縁との間にある、制御信号を磁気記録または光学記録することのできる領域であり、記録された制御信号は、写真フィルム１の処理及び焼付作業時に利用される。また、この写真フィルム１は、その有効露出領域２０と上側の側縁との間の側縁余白領域に、孔１９または磁気マーク１９′が列設され、それら孔１９または磁気マーク１９′は、写真フィルム１の送り移動量の検出に利用される。
【００６６】
図１３には、上述の写真カメラを使用して露出し、処理した写真フィルム１の焼付作業を自動的に行うための自動焼付機が示されている。図示の如く、この自動焼付機は焼付機ボディを備えており、この焼付機ボディには、感光性の印画紙４６を供給する印画紙供給リール４５と、印画紙供給リール４５から供給された印画紙４６を支持する印画紙載置台即ち印画紙プラテン４７と、印画紙のうちの画像を焼付ける部分のサイズを決定する可変印画紙マスク４８と、印画紙４６を印画紙載置台４７に押付けて保持する印画紙保持板４９と、印画紙４６を駆動する印画紙送りローラ即ち印画紙駆動ローラ５０と、露光済の印画紙４６を巻取る印画紙巻取リール５１とが配設されている。
【００６７】
この自動焼付機の焼付機ボディには更に、処理済写真フィルム１を供給するフィルム供給リール５２と、フィルム供給リール５２から供給された写真フィルム１を支持するフィルム載置台即ちフィルム・プラテン５３と、ネガキャリヤの可変スリット部５４と、ネガフィルムをフィルム載置台５３に押付けて然るべき位置に位置付けるネガ保持板５５と、写真フィルム１を駆動するフィルム送りローラ即ちフィルム駆動ローラ５６と、露光済の処理済写真フィルム１を巻取るフィルム巻取リール５７と、ネガ保持板５５の上方に配設されたレンズ５８と、印画紙載置台４７の下方に配設されレンズ５８を支持しているベローズ５９と、フィルム載置台５３の下方に配設されたランプ６０と、ランプ６０の上方に配設されたブラック・シャッタ６１と、イエロー、マゼンタ、シアン（Ｙ、Ｍ、Ｃ）の３色のフィルタから成るフィルタ・アセンブリ６２と、フィルタ・アセンブリ６２とフィルム載置台５３との間に配設された拡散フィルタ箱６３とが配設されている。
【００６８】
ネガ保持板５５は、写真フィルム１上に記録されているフレーム・サイズ信号１２ａを検出するためのフレーム・サイズ・センサＳ１と、写真フィルム１上に記録されているフレームの中点を表す中点マーク４０ａを検出するためのフレーム中点センサＳ２と、注文されたプリントのサイズ及び枚数に関する注文情報を磁気的に検出するためのオーダー・センサＳ３とを支持している。この注文情報は、図１〜図４に示したように、孔１９または磁気マーク１９′が画成されている方の側縁部余白領域１９″とは反対側の側縁部余白領域に記録されている。
【００６９】
フレーム中点センサＳ２によってフレーム３の中点マーク４０ａが検出されたならば、フィルム駆動ローラ５６が制御されて、そのフレーム３の中点と、ネガキャリヤの可変スリット部５４の中点とが揃うように、フィルムが駆動される。可変印画紙マスク４８とネガキャリヤの可変スリット部５４とはいずれも、フレーム・サイズ・センサＳ１によって検出されたフレーム・サイズ信号１２ａに基づいて制御される。
【００７０】
例えば、そのフレーム・サイズがＨＤＴＶ適合フレーム・サイズであったならば、ネガキャリヤの可変スリット部５４は図１８の（Ａ）に示した寸法に設定され、可変印画紙マスク４８は図１９の（Ａ）に示した寸法に設定される。また例えば、そのフレーム・サイズが、ＮＴＳＣ適合フレーム・サイズであったならば、ネガキャリヤの可変スリット部５４は図１８の（Ｂ）に示した寸法に設定され、可変印画紙マスク４８は図１９の（Ｂ）に示した寸法に設定される。
【００７１】
図１４は、この自動焼付機の制御系を示した図である。この図１４の制御系において、フレーム・サイズ・センサＳ１とフレーム中点センサＳ２とは、夫々がフォトカプラで構成されており、写真フィルム１の側縁部余白領域に記録されているフレーム・サイズ信号１２ａと中点マーク４０ａとを夫々に検出するためのものである。
【００７２】
一方、それら光学センサＳ１及びＳ２の替わりに、図１５に示したように磁気ヘッドＳ１′及びＳ２′を使用し、未露出状態のフィルムに予め形成されている余白領域１９″に磁気記録されているフレーム・サイズ信号及びフレーム中点信号を読取るようにしてもよい。
【００７３】
フレーム中点は、フレーム中点センサＳ２が検出した中点マーク４０ａに基づいて判定される。また、そのフレーム中点が判定されたフレーム３のフレーム・サイズは、フレーム中点センサＳ２がその中点マーク４０ａを検出する直前にフレーム・サイズ・センサＳ１が読取ったフレーム・サイズ信号１２ａに基づいて制御系のマイクロプロセッサ６４が判定する。続いてマイクロプロセッサ６４はマスク・サイズ駆動モータＭ３を制御して可変印画紙マスク４８を操作し、この可変印画紙マスク４８を、判定されたフレーム・サイズに適合させる。また、それと同時にマイクロプロセッサ６４は、ネガキャリヤ可変スリット部駆動モータＭ２を制御してネガキャリヤの可変スリット部５４を操作する。
【００７４】
マイクロプロセッサ６４は、フレーム・サイズ・センサＳ１が読取ったフレーム・サイズ信号１２ａに基づいてフィルム送りモータＭ１を制御し、フィルム送りローラ５６を回転させて写真フィルム１を所定長さだけ送り移動させる。それと同時にマイクロプロセッサ６４は、印画紙送りモータＭ４を制御し、印画紙送りローラ５０を回転させて印画紙４６を所定長さだけ送り移動させる。更にマイクロプロセッサ６４は、注文センサＳ３が読取ったプリント・サイズ及びプリント枚数についての情報に基づいて、プリントの枚数を制御すると共に印画紙上の画像の大きさの切換えを行う。この印画紙切換システムは、印画紙送り機構と光学的選択機構とで構成することができるが、それらは図には示していない。そのように構成した印画紙切換システムにおいては、光学選択機構が、プリント・サイズ信号に応答して、その信号に対応した印画紙送り機構の動作を選択する。
【００７５】
図１６の（Ａ）及び（Ｂ）は、この自動焼付機における、写真フィルム１と、フレーム中点センサＳ２と、フレーム・サイズ・センサＳ１との間の位置関係を示した図である。写真フィルム１が図１６の（Ａ）の矢印Ａの方向に駆動されているときに、フレーム３が露光位置に達する直前に、そのフレーム・サイズ・インジケータ（フレーム・サイズ信号）１２ａがフレーム・サイズ・センサＳ１によって検出される。そしてこのセンサＳ１からの出力信号に基づいて、写真フィルム１の駆動と、ネガキャリヤの可変スリット部５４と、可変印画紙マスク４８とが制御される。このセンサＳ１から出力されるフレーム・サイズ信号は、マイクロプロセッサ６４によって処理され、マイクロプロセッサ６４は、フレーム中点センサＳ２によってフレーム３のフレーム中点が判定されたときに、フレーム・サイズを判定する。
【００７６】
図１６の（Ａ）及び（Ｂ）に示したように、フレーム中点を表している中点マーク４０ａは、写真フィルム１の各フレームごとに記録されている。また、各フレームごとに、写真フィルム１の駆動方向に対して中点マーク４０ａの前方にフレーム・サイズ・インジケータ１２ａが記録され、中点マーク４０ａの後方にフレーム番号４１ａが記録されている。
【００７７】
図示例では、フレーム中点センサＳ２とフレーム・サイズ・センサＳ１との両方が略々同じ位置に配設されているが、これらセンサのうち、ネガキャリヤ可変スリット５４及び可変印画紙マスク４８の中点に揃えて配置すべきであるのは、フレーム中点センサＳ２だけであり、他方のフレーム・サイズ・センサＳ１は、フィルム載置台５３上の、その進入側の端部に配設してもよい。これは、磁気ヘッド式のセンサＳ１′及びＳ２′についてもいえることである。
【００７８】
図１７は、マイクロプロセッサ６４が現像済写真フィルムであるネガフィルム１の駆動と印画紙４６の駆動とを制御する際の、その制御シーケンスを示した図である。ネガキャリヤの可変スリット部５４及び可変印画紙マスク４８もまた、この制御シーケンスにおいて制御される。先ず、フレーム中点センサＳ２が中点マーク４０ａを検出するまで、写真フィルム１を連続的に駆動し且つ巻取り、フレーム中点センサＳ２が中点マーク４０ａを検出したときに写真フィルム１の駆動を停止する。この写真フィルム１の駆動の停止までに、フレーム・サイズ・インジケータ１２ａがフレーム・サイズ・センサＳ１によって検出されており、そのフレーム・サイズ・インジケータ１２ａの番号がカウントされている。
【００７９】
フレーム・サイズ・インジケータ１２ａが表している番号が「３」であったならば、ネガキャリヤの可変スリット部５４の幅寸法を３８ｍｍに設定し、可変印画紙マスク４８の幅寸法を１１９ｍｍに設定する。続いて、印画紙４６を送り移動して写真フィルム１の焼付けを実行し、これによってこの制御シーケンスは終了する。印画紙４６の送り移動量は、焼付けられるフレームのサイズと、焼付けられるフレームの周囲の余裕代と、焼付けられるフレームどうしの間の切断用余裕代とに対応した距離になる。一般的に、写真フィルム１の焼付けを行う際には切断用余裕代の中に孔が１つ存在しているようにして、その孔を印画紙の自動切断のための位置信号として利用する。
【００８０】
フレーム・サイズ・インジケータ１２ａが表している番号が「４」であったならば、ネガキャリヤの可変スリット部５４の幅寸法を５１ｍｍに設定し、可変印画紙マスク４８の幅寸法を１５８ｍｍに設定する。続いて、印画紙４６を送り移動して写真フィルム１の焼付けを実行し、これによってこの制御シーケンスは終了する。
【００８１】
フレーム・サイズ・インジケータ１２ａが表している番号が「１」であった場合や「２」であった場合にも、ネガキャリヤの可変スリット部５４及び可変印画紙マスク４８の幅寸法が同様にして設定される。続いて、印画紙４６が送り移動されて写真フィルム１の焼付が行われ、それによってこの制御シーケンスは終了する。
【００８２】
フレーム・サイズ・インジケータ１２ａは写真フィルム１の上側の側縁部余白領域に記録されているため、ややもすると、これが中点マーク４０ａと誤認されるおそれがある。この誤認を避けるために、フィルム送りモータＭ１に、図１４に示したように、写真フィルム１の送り移動量を検出するためのネガ送りセンサＳ３を装備してあり、これによって写真フィルム１の送り移動量をカウンタ６５で測定し、このカウンタ６５のカウント値をマイクロプロセッサ６４へフィードバックするようにしている。写真フィルム１上のフレーム・サイズ・インジケータ１２ａの幅寸法は、写真フィルム１の駆動量に基づいて検出することができるため、フレーム・サイズ・インジケータ１２ａを中点マーク４０ａやフレーム番号４１ａから区別することができる。
【００８３】
図１３、図１４並びに図１６の（Ａ）及び（Ｂ）を参照して以上に説明したように、本発明にかかる自動焼付機は、写真フィルム１上の有効露出領域２０と側縁との間の側縁部余白領域に記録されている有効露出領域位置インジケータ４０ａを検出して写真フィルム１の駆動を制御するための、フィルム駆動制御デバイス６５、６４、Ｍ１を備えており、また、同じく側縁余白領域に記録されている有効露出領域幅寸法インジケータ１２ａを検出して焼付用開口部の写真フィルム１長手方向の寸法である幅寸法を制御するための、焼付用開口部幅寸法制御デバイス５４、６４、Ｍ２を備えている。
【００８４】
写真フィルム１には、この写真フィルム１上の有効露出領域２０と側縁との間の側縁部余白領域に、有効露出領域位置インジケータ４０ａと有効露出領域幅寸法インジケータ１２ａとが記録されている。そして、有効露出領域幅寸法インジケータ１２ａが検出された直後に有効露出領域位置インジケータ４０ａが検出されるようにしてある。フィルム露光用開口部の写真フィルム１長手方向の寸法である幅寸法と、印画紙露光用開口部の幅寸法と、印画紙４６の駆動量とは、検出された有効露出領域幅寸法インジケータ１２ａに基づいて制御され、一方、写真フィルム１の駆動量即ち送り移動量は、検出された有効露出領域位置インジケータ４０ａに基づいて制御される。
【００８５】
従って、写真フィルム１の駆動量は、写真フィルム１の側縁部余白領域に記録されている有効露出領域位置インジケータ４０ａに基づいて制御され、一方、焼付用開口部の幅寸法と、印画紙露出用開口部の幅と、印画紙４６の駆動量とは、写真フィルム１の側縁部余白領域に記録されている有効露出領域幅寸法インジケータ１２ａに基づいて制御されるため、たとえその写真フィルム１に、互いに異なったサイズのフレームが混在している場合でも、その写真フィルム１の自動焼付作業が可能になっている。
【００８６】
先に説明した写真カメラでは、フィルム位置検出孔１９を検出するために、ＬＥＤ５ａと光電検出器５ｂとを互いに対向させた位置関係で配設したが、図２０及び図２１に示すように、フィルム位置を検出するためのＬＥＤと光電検出器とを一体に組合せた構成のフォトカプラ６６をフィルム・ガイド３０上に配設するようにしてもよい。フォトカプラ６６は、フィルム・ガイド３０上のどの位置に配置してもよい。またフォトカプラ６６は、図５に示したもののように、フレームの露出時に同時にフレーム番号４１ａと中点マーク４０Ａとを記録できるように、ＬＥＤ４１、４０を備えたものとしてもよい。
【００８７】
先に説明した写真カメラでは、孔センサ５は１個のＬＥＤと１個の光電検出器とを組合せたものであったが、サイズの異なったフレームの間で送り移動量を異ならせている場合には、この孔センサ５を、ＬＥＤと光電検出器とから成る組を２組備えた構成とするのもよい。
【００８８】
上に説明した自動焼付機では、１本の写真フィルムに異なったサイズのフレームが混在しているものとして説明したが、フレーム・サイズが異なった複数本の写真フィルムをつなぎ合わせて１本のフィルムにしたものの自動焼付作業を行う場合にも、本発明を有効に利用することができる。
【００８９】
図２２〜図３０には、写真フィルム１のフレーム内の画像をビデオ信号に変換することのできる写真画像システム７０の、１つの実施の形態を示した。以下にそれらの図を参照しつつ、この写真画像システム７０の実施の形態について説明して行く。この実施の形態は、カメラのユーザとフィルム処理工場との間の情報伝達のための焼付注文システムを利用したものである。
【００９０】
図２２は、写真画像システム７０の斜視図であり、この写真画像システム７０は上部ボディ７１と下部ボディ７２とを備えている。上部ボディ７１は、その前面に後述するプリント選択パネル８５を備えており、また、電源表示パネル８４と、光学機構と、電荷結合デバイス（ＣＣＤ）と、必要な駆動回路とを備えている。
【００９１】
下部ボディ７２は、ディスプレイ調節パネル７３と、フィルム・カートリッジ収容室７９と、ウィンドウ８１とを備えており、また更に、図２３に示すようにランプ８９とフィルム送り機構８８とを備えている。そして、ディスプレイ調節パネル７３は、色調節スイッチ７４と、ズーム制御スイッチ７５と、フォーカス制御スイッチ７６と、絞り制御スイッチ７７と、主電源表示灯７８とを備えている。これらのうち、スイッチ７４〜７７は、それらを手動操作することによってディスプレイ画像の画質を調節するためのスイッチである。下部ボディ７２の右側の奥に主電源スイッチ８０が設けられている。
【００９２】
図２３に示すように、フィルム・カートリッジ収容室７９に、処理済フィルムを装填したフィルム・カートリッジ８６が収容され、そのフィルム・カートリッジ８６から処理済フィルム１が引き出されて、フィルム・ガイド９２によって案内されている。この処理済の写真フィルム１は、フィルム送り機構８８によってフィルム・カートリッジ収容室７９からフィルム・ハウジング８７へ送られて行く。フィルム送り機構８８は、駆動ローラ対と、アイドル・ローラ対と、巻取リール機構とを含んでおり、図１６の（Ａ）及び（Ｂ）に示すように、フィルム上に記録されているフレーム位置信号を検出することによって、或いはフィルム上に画成されている孔を検出することによって、自動的にフィルムの送り移動を実行する。その処理済の写真フィルム１を、ランプ８９が拡散フィルタ９０を介して照明する。フィルム送り機構８８はモータ９３によって駆動され、このモータ９３は、図２４に示したフィルム駆動回路９４及びシステム・コントローラ９５によって制御されている。システム・コントローラ９５は、フィルム送り動作を制御すると共に、処理済の写真フィルムの画像をビデオ信号へ変換するフィルム画像変換処理を制御している。システム・コントローラ９５は、検出器１５５、１５６と、孔／中点マーク検出回路１１５とを利用して、フレーム・サイズ信号１２ａと、フレーム中点マーク４０ａとを検出している。なお、このフレーム中点マーク４０ａに替えて、写真フィルムの側縁部余白領域に形成されている孔１９が利用されることもある。
【００９３】
図２４に示すように、処理済の写真フィルムの画像は、対物レンズ９７、ズーム・レンズ９８、フォーカス・レンズ９９、そして絞り１００を介して、ＣＣＤ９６上へ投影される。これらのレンズ及び絞りは、夫々ズーム・モータ１０１と、フォーカス・モータ１０２と、絞りモータ１０３とによって駆動される。これらのモータはまた、ズーム・モータ駆動回路１０４、フォーカス・モータ駆動回路１０５及び絞りモータ駆動回路１０６の夫々と、システム・コントローラ９５とによって制御されている。システム・コントローラ９５は、ズーム・レンズ９８の選択された倍率に応じて絞り１００を制御する。
【００９４】
図２６に示すように、上述の処理済の写真フィルムの画像は、ＣＣＤ９６の画像変換領域１０７上に投影される。この画像変換領域１０７の事実上の広さは、システム・コントローラ９５が、検出器１１５と、フレーム・サイズ信号検出回路１５５、１５６とによって検出されたフレーム・サイズ信号１２ａに応じて選択するようにしてある。図中に示した領域サイズＣ〜Ｆは、夫々、ＮＴＳＣ適合フレーム・サイズ（ハーフ・サイズ）、ＨＤＴＶ適合フレーム・サイズ（ハーフ・サイズ）、ＮＴＳＣ適合フレーム・サイズ（フル・サイズ）、及びＨＤＴＶ適合フレーム・サイズ（フル・サイズ）に対応しており、また、領域サイズＡ及びＢは、ユーザからの要求または写真カメラによって記録されたフレーム・サイズ信号１２ａに従って、それがフル・サイズ信号か、それともパノラマ・サイズ信号かに応じて選択される。
【００９５】
この画像領域選択システムの別の実施の形態を図２７に示した。図２７の実施の形態では、ズーム・レンズ９８が、ＮＴＳＣ適合フレーム・サイズ（フル・サイズ）１０８を、ＣＣＤ画像変換領域１０７におけるＨＤＴＶサイズ領域へ拡大する。この拡大されたＮＴＳＣ適合フレームにおいては画像の一部が失われているが、その代わりに、ＣＣＤ画像変換領域１０７の全てのピクセルが有効に使用されている。また、ＣＣＤ画像変換領域１０７の一部１０７Ａが、図２９及び図３２の（Ａ）に示したように、写真フィルムの側縁部余白領域のユーザ入力情報４３ａ等の情報をビデオ信号へ変換する情報変換のために使用されている。
【００９６】
システム・コントローラ９５は、ＣＣＤ９６が検出した画像信号に応答して、また、フレーム・サイズ信号１２ａに応答して、画像信号処理回路１１０を制御する。画像信号処理回路１１０は、ＨＤＴＶビデオ信号またはＮＴＳＣビデオ信号を生成すると共に、更にその他の信号も生成する。それら信号出力は、図２８に示したように、モニタないしテレビジョン１７０へ供給される。
【００９７】
写真画像システム７０は、リモコン装置１１６によって制御される。このリモコン装置１１６は、フィルムの送り移動、ディスプレイ・サイズ、及び焼付注文を制御する。システム・コントローラ９５は、画像信号処理回路１１０を制御して、処理済の写真フィルムから得られた画像上に、グラフィカル・メニューとした注文メニュー１７１をミキシング、即ち挿入する。この焼付注文は、図２４に示したように、磁気ヘッド１１２と信号検出／記録回路１１３とによって、処理済のフィルムの磁気領域に記録される。
【００９８】
図２５の焼付選択パネル８５は、自動モード選択スイッチ１１７を備えており、この自動モード選択スイッチがオフにしてあれば、ユーザは、スイッチ１１８〜１２１を操作して手動制御で動作を制御することができる。これらのスイッチ１１８〜１２１を操作することによって、夫々、ズーム・モータ駆動回路１０４、フォーカス・モータ駆動回路１０５、絞りモータ駆動回路１６を手動制御することができる。スイッチ１２２は、処理済の写真フィルムのポジ画像またはネガ画像を白黒ビデオ信号またはカラービデオ信号へ変換することのできる画像信号処理回路の、その変換機能を選択するスイッチである。スイッチ１２３は、注文メニューと通常表示との一方を選択するスイッチである。スイッチ１２８は、作成する写真プリントのサイズを選択するスイッチである。作成する写真プリントのサイズには、例えばサービス判、キャビネ判、四切判、等々のサイズがある。ディスプレイ１２７は、選択された印画紙の大きさを表示し、ディスプレイ１２９は、フレーム番号を表示する。ディスプレイ１２６、１２４、及び１２７は、注文メニューの状況に応じて、夫々、フレームのサイズ及び縦横比、注文されたプリントの枚数、それにプリントの印画紙サイズを表示する。
【００９９】
図２９に示したように、ユーザは、グラフィカル・メニュー１７１を利用して注文内容を変更することができる。第１のステップＡは通常モードであり、このモードにあるときには、写真フィルムのフィルム・サイズ１７２とフレーム番号１７３とが表示される。第２のステップＢは注文確認メニュー１７４である。第３のステップＣは注文メニューであり、プリントのサイズ１７５、プリントの枚数１７６、及び注文の最終確認１７７が表示される。このメニュー１７１は、リモコン装置１１６からも制御できるようにしてある。
【０１００】
図２４に示したように、リモコン装置１１６は、注文ボタン１３０を備えており、この注文ボタン１３０によって、注文状況メニューを選択し、これは図２９の第２ステップＢである。第２ステップＢにおいてリモコン装置１１６のイエス・ボタンであるカーソル・スイッチ１３２を操作してイエス・メニューを選択すると、メニュー・プロセスは第３ステップＣへジャンプする。ここへジャンプしたならば、カーソル・スイッチを操作して、プリントのサイズ、プリントの枚数、及び注文の最終確認を選択する。
【０１０１】
画像信号処理回路１１０は、図３０に示したように、ディジタル変換回路と画像処理／出力回路とを含んでいる。ディジタル変換回路は、アナログ・ディジタル・コンバータ（ＡＤＣ）１３９を備えており、このＡＤＣ１３９は、図２４に示したＣＣＤの出力信号や、或いは図３３の（Ａ）及び（Ｂ）に示したフラット・ベッド形スキャナのライン・センサの出力を、ディジタル信号に変換する。このＡＤＣ１３９の出力データは、ＲＧＢディジタル・データである。
【０１０２】
このＲＧＢデータに対して、輝度補正／色変換回路１４０による補正処理及び変換処理が施される。この回路１４０は、メモリ１４１に格納されている補正データ及び色変換データを利用する。補正データは、様々なＲＧＢ検出器の間の変換偏差を補正するために用いられる。色変換データは、ＲＧＢデータからＣＭＹデータへの変換のために用いられる。この色変換データは、ポジフィルムとネガフィルムとの間の変換のためのデータでもあり、またカラー画像と白黒画像との一方を選択するためのデータでもある。これらの、ポジフィルムとネガフィルムとの間の変換と、カラー画像と白黒画像の一方の選択とは、図２５に示したスイッチ１２２によって選択され、選択されたデータはデータ・バス１３８を介してシステム・コントローラ９５から画像信号処理回路１１０へ送られる。データ・バス１３８を介して送られるデータには、輝度補正／色変換回路１４０のためのデータとフィルム・タイプ補正回路１４２のためのデータとが含まれている。輝度補正／色変換回路１４０によって生成された変換後データは、次段のフィルム・タイプ補正回路１４２へ供給されている。
【０１０３】
フィルム・タイプ補正回路１４２は、フィルム・タイプごとに異なるフィルム感度偏差を補正するための回路であり、メモリ１４３に格納されている感度補正データを利用し、またシステム・コントローラ９５によって制御される。システム・コントローラ９５は、処理済フィルム・カートリッジ収容室７９に配設されているフィルム・タイプ検出器１６０によってフィルム・タイプを検出する。即ち、図２３に示したこのフィルム・タイプ検出器１６０と、図２４に示したフィルム・タイプ検出回路１６１とが、フィルム・カートリッジに磁気記録または光学記録されているフィルム・タイプ・データを検出して、フィルム・タイプ・データ信号をシステム・コントローラ９５へ送出する。この検出器１６０が、フィルム上の磁気データまたは光学データを併せて検出する構成とすることも可能であり、そのような場合には、この検出器１６０をフィルム・ガイド９２上に配設すればよい。
【０１０４】
フィルム感度の偏差を補正するための前述のＣＭＹデータは、画像処理／出力回路１４４へ供給されている。この回路１４４は、一方では、ＣＲＴ偏差を補正すると共に、ＣＲＴに表示する際のディスプレイ・サイズを調節する機能を果たしており、また他方では、ＣＭＹデータを、ＣＲＴにディスプレイすることのできるＲＧＢデータまたは複合ビデオ信号へ変換すると共に、そのＲＧＢデータまたは複合ビデオ信号に、システム・コントローラ９５から供給される制御データをスーパーインポーズする機能を果たしている。この回路１４４は更に、フレーム・サイズ信号１２ａに対応したＣＭＹデータの画像サイズを調節する機能と、コンピュータ・システムまたはディスク・ドライブ制御回路へ信号を出力する機能とを果たしている。
【０１０５】
図３１に示したように、画像処理／出力回路１４４は２組の演算回路を含んでいる。第１の演算回路は外部のコンピュータへビットマップ形式のデータを出力する演算回路であり、転送回路１６０と、データ保持／処理回路１６１と、コンピュータ出力回路１６２とで構成されている。なお、ビットマップ形式のデータを出力するばかりでなく、ＧＩＦ形式のデータ、ＴＩＦＦ形式のデータ、或いはその他の適当な形式のデータとして出力することも可能にしてある。
【０１０６】
転送回路１６０は、フィルム感度偏差を補正するためのＣＭＹデータを受取って、そのＣＭＹデータを、データ保持／処理回路１６１と、ＣＲＴ偏差補正回路１６３とへ転送している。データ保持／処理回路１６１は、ＣＭＹデータを受取って、そのデータ形式、データ・サイズ、及びディスプレイ・サイズを変換している。データ形式については、ビットマップ形式、ＧＩＦ形式、ＴＩＦＦ形式、ＪＰＥＧ形式、或いはその他の適当な形式のデータのうちから、画像コントローラ／スーパーインポーズ回路１６６が選択する。
【０１０７】
また、データ・サイズ及びディスプレイ・サイズについては、画像コントローラ／スーパーインポーズ回路１６６が、検出されたフレーム・サイズ信号１２ａに従って選択する。データ形式、データ・サイズ、及びディスプレイ・サイズに関して処理されて変換されたＣＭＹデータは、保持されると共に出力回路１６２へ転送されている。
【０１０８】
転送回路１６０は更に第２の演算回路の構成要素も兼ねている。第２の演算回路はＲＧＢデータまたは複合ビデオ信号を、ＣＲＴ、ＬＣＤ、或いはその他の適当なディスプレイ・デバイスへ出力するための回路であり、転送回路１６０と、ＣＲＴ偏差補正回路１６３と、画像保持／処理回路１６４と、ＣＲＴ出力回路１６５とを含んでいる。これらのブロックは、画像コントローラ／スーパーインポーズ回路１６６によって制御されており、メモリ１６５に格納されているデータを利用して処理を実行する。
【０１０９】
ＣＲＴ偏差補正回路１６３は、メモリ１６５に格納されているＣＲＴ偏差データを用いてＣＲＴ偏差を補正すると共に、ＣＭＹデータをＲＧＢデータへ変換する。画像保持／処理回路１６４は、そのＲＧＢデータを受取り、受取ったＲＧＢデータに画像スーパーインポーズ処理を施す。ＲＧＢデータに対しては、画像コントローラ／スーパーインポーズ回路１６６が、検出されたフレーム・サイズ信号１２ａに従って制御を加え、また調節を加えて、それをディスプレイ・サイズにする。スーパーインポーズ処理のためのディスプレイ・データは、図２９に示したように、フィルム・サイズ１７２と、フレーム番号１７３と、注文枚数情報１７６とを含んでいる。画像保持／処理回路１６４は２面の画像平面を有する。一方の画像平面にはＲＧＢデータを保持させ、他方の画像平面にはスーパーインポーズ・データを保持させている。これら２面の画像平面のデータは、出力回路１６５へ転送され、この出力回路１６５においてそれらデータが互いにミキシング即ちスーパーインポーズされて、ＲＧＢデータまたは複合ビデオ信号として送出される。
【０１１０】
図３２の（Ａ）〜（Ｄ）は、以上のようにして行われる画像のスーパーインポーズ処理を例示した図である。図３２の（Ａ）〜（Ｃ）に示したように、写真フィルムの画像を選択的に拡大することができる。フィルム・サイズ１７２、フレーム番号１７３、及びその他のデータを表示するための、ディスプレイ・データが、画像にスーパーインポーズされている。図３２の（Ｄ）は、注文情報の確認操作に用いられる注文確認ウィンドウを示した図である。このメニューは図２９に示した注文用のグラフィカル・メニュー１７１に続いて表示される。図３２の（Ｄ）の画面上には、フィルム上の１２回の露出に対応した１２個のウィンドウが表示されている。各ウィンドウには、処理済写真フィルム１の各フレームが、次々と表示される。各ウィンドウのすぐ下の表示領域には、作成するプリントのサイズ１７５や、作成するプリントの枚数１７６等の注文情報が表示される。
【０１１１】
図３３の（Ａ）及び（Ｂ）は、写真ビデオ画像システムの別の実施の形態を示した図である。図３３の（Ａ）の構成では、ランプとＣＣＤとの位置関係が、図２４の構成とは逆転している。この写真ビデオ画像システムは、ライン・センサ形式のＣＣＤ９６′を使用した、ライン・スキャナ・タイプのシステムである。ライン・センサ９６′は、図３４に示した電子シャッタ回路を備えている。この電子シャッタ回路はタイミング発生回路１８１を含んでおり、タイミング発生回路１８１はシステム・コントローラ９５から供給される制御データと、アナログ・デジタル・コンバータ１８０から供給されるオーバーフロー・データとによって制御されている。タイミング発生回路１８１は可変幅のタイミング・パルスをＣＣＤのシャッタ・パルスの周期で発生する。絞り１００をなくして、このパルスにその機能を代替させることも可能であり、また、絞り１００とこのパルスとを併用するようにしてもよい。
【０１１２】
再び図３３の（Ａ）及び（Ｂ）を参照して説明すると、処理済フィルム１はフィルム駆動モータによって駆動され、ランプ８９及び拡散フィルタ９０によって照明される。ガラス製のウィンドウ８１と、ランプ８９と、拡散フィルタ９０とが、この写真ビデオ画像システム７０の下部ボディ７２の中に配設されている。フレーム・サイズ信号１２ａとフレーム中点マーク４０ａとを夫々検出するための検出器１５５及び１５６、それに読み書きヘッド１１２が、フィルム１を間に挟んでウィンドウ８１とは反対側に配設されている。フレーム中点マーク４０ａを検出することに替えて、孔１９を検出するようにしてもよい。ライン・センサ９６′とレンズ１４８とがスライダ１４９上に配設されている。スライダ１４９は、モータ１５０及びベルト１５１によって位置決めロッド１５２上を駆動される。
【０１１３】
以上に説明した写真ビデオ画像システムの２つの実施の形態は、自動焼付機の印画紙の位置にＣＣＤを装備したものである。これら２つの実施の形態は、写真フィルムの側縁と有効露出領域との間の領域に磁気記録または光学記録した露光制御信号を利用している。これら２つの実施の形態は、先に説明した自動焼付機の実施の形態において使用されていたのと同一のフィルム上の位置を、同様に注文情報領域として使用しており、写真プリントを作成する際にこの注文情報領域を自動焼付機システムが利用できるようにしたものである。かかる露光制御信号は、処理装置がそれを利用できるばかりでなく、ユーザも利用することができる。即ちユーザは、本発明を採用した簡明な構成の焼付機システムを用いてプリントを作成することができる。そのような家庭用の焼付機システムは、例えばコンピュータ・システムまたはテレビジョンと組合せて、それらにディスプレイをさせるようにすればよい。
【０１１４】
本発明は、写真フィルムの側縁と有効露出領域との間の領域に磁気記録または光学記録した露光制御信号を利用するものである。この露光制御信号は、処理装置がそれを利用できるばかりでなく、個々のユーザも利用することができ、それによって、個人でも本発明を採用した比較的簡明な構成の焼付機システムを用いて写真プリントを作成することができる。このような簡明な構成の家庭用のシステムは、例えばコンピュータ・システムまたはテレビジョンと組合せて、それらにディスプレイをさせるようにすればよい。更に、本発明における露光制御信号には、焼付機システムを制御するための補助信号や、ある種の特徴をユーザに対して表示するための補助信号を含めるようにしてもよい。以上説明したように本発明は、従来提案されていたシステムで必要とされていたノッチ形成作業を不要化するものであり、そのため本発明は、様々な用途に適用することができる。
【０１１５】
以上、本発明の好適な実施の形態について、添付図面を参照して説明したが、容易に理解されるように、本発明はそれら特定の実施の形態に限定されるものではなく、当業者であれば、本発明の概念及び範囲から逸脱することなく、それら実施の形態に対して様々な改変ないし変更を加え得ることは当然である。
【０１１６】
【発明の効果】
本発明は、以上のように構成したため、従来から提案されている様々なシステムに付随している短所を払拭した可変フレーム・サイズの写真システムを提供し得るという効果を有する。また、本発明は、画像の焼付作業に先立って写真フィルム上に形成されている画像をビデオ表示することのできる写真ビデオ画像システムを提供し得るという効果、そして、ユーザが写真フィルム上に記録した注文情報に応答して連続する一連の写真フィルムの焼付作業を自動的に行うことのできる写真フィルム焼付機を提供し得るという効果を有するものである。
【図面の簡単な説明】
【図１】本発明の実施の形態にかかる３５ｍｍ写真カメラを用いて露出した露出済３５ｍｍフィルムの部分正面図である。
【図２】本発明の実施の形態にかかる３５ｍｍ写真カメラを用いて露出した別の露出済３５ｍｍフィルムの部分正面図である。
【図３】（Ａ）及び（Ｂ）は、本発明の１つの実施の形態にかかる３５ｍｍ写真カメラにおいて使用可能な３５ｍｍフィルム・カートリッジの正面図である。
【図４】（Ａ）及び（Ｂ）は、本発明の別の実施の形態にかかる３５ｍｍ写真カメラにおいて使用可能な３５ｍｍフィルム・カートリッジの正面図である。
【図５】裏蓋を取り外した状態にある本発明の１つの実施の形態にかかる３５ｍｍ写真カメラの背面図である。
【図６】図５の３５ｍｍ写真カメラの裏蓋の内面を示した正面図である。
【図７】図５のVII −VII 線に沿った断面図である。
【図８】図３の（Ａ）及び（Ｂ）のフィルムを使用する本発明の１つの実施の形態にかかる３５ｍｍ写真カメラの制御系のブロック図である。
【図９】裏蓋を取り外した状態にある本発明の別の実施の形態にかかる３５ｍｍ写真カメラの背面図である。
【図１０】図７に示したカメラの一部分を拡大した拡大部分図である。
【図１１】（Ａ）〜（Ｅ）は、本発明の１つの実施の形態にかかる３５ｍｍ写真カメラを用いて３５ｍｍフィルム上に露出した複数のフレームの間の位置関係を示した部分正面図である。
【図１２】図４の（Ａ）及び（Ｂ）のフィルムを使用する本発明の別の実施の形態にかかる３５ｍｍ写真カメラの制御系のブロック図である。
【図１３】本発明の１つの実施の形態にかかる３５ｍｍ写真カメラを用いて露出した処理済３５ｍｍフィルムを印画紙に焼付けるための自動焼付機の正面図である。
【図１４】図１３に示した実施の形態にかかる自動焼付機に使用している制御系のブロック図である。
【図１５】本発明の別の実施の形態にかかる自動焼付機の制御系のブロック図である。
【図１６】（Ａ）及び（Ｂ）は、３５ｍｍフィルムと図１３に示した自動焼付機のセンサとの間の関係を示した部分正面図である。
【図１７】図１４に示した制御系のマイクロプロセッサが実行する動作方法のフローチャートである。
【図１８】（Ａ）及び（Ｂ）は、図１３に示した自動焼付機の、ネガキャリヤの可変スリット部の相対的な大きさを表した図である。
【図１９】（Ａ）及び（Ｂ）は、図１３に示した自動焼付機の、可変印画紙マスクの相対的な大きさを表した図である。
【図２０】裏蓋を取り外した状態にある本発明の別の実施の形態にかかる３５ｍｍ写真カメラの背面図である。
【図２１】裏蓋を取り外した状態にある本発明の更に別の実施の形態にかかる３５ｍｍ写真カメラの背面図である。
【図２２】写真フィルム上のフレームをビデオ信号に変換することのできる本発明の１つの実施の形態にかかる写真画像システム（写真ビデオ・システム）の斜視図である。
【図２３】図２２の写真ビデオ・システムの下部ボディの内部のフィルム移動経路を示した正面図である。
【図２４】図２２の写真ビデオ・システムの構造の一部を示した模式図である。
【図２５】図２２の写真ビデオ・システムの残部（焼付選択パネル）を示した図である。
【図２６】図２２の写真ビデオ・システムに使用している電荷結合デバイス（ＣＣＤ）の画像変換領域の平面図である。
【図２７】図２５の画像変換領域を拡大して示した平面図である。
【図２８】図２２の写真ビデオ・システムに接続したビデオ・モニタの模式図である。
【図２９】図２２のシステムにおいて写真プリントのサイズを選択するために使用するグラフィカル・メニューを映し出しているビデオ画面の模式図である。
【図３０】画像処理回路のブロック図である。
【図３１】図３０の画像処理出力回路を更に詳細に示したブロック図である。
【図３２】（Ａ）〜（Ｄ）は本発明の実施の形態において可能な写真スーパーインポーズ処理を表した模式図である。
【図３３】（Ａ）及び（Ｂ）は、ライン・スキャナとセンサとから成るシステムを用いた本発明の別の実施例の模式図である。
【図３４】図３３の（Ａ）及び（Ｂ）のシステムに使用する電子シャッタ回路のブロック図である。
【符号の説明】
１  写真フィルム、１２ａ  縦横比情報（フレーム・サイズ信号）、４０ａ  フレーム位置信号（フレーム中点マーク）、Ｍ１，５６，９４  フィルム送り手段、９５  制御手段（システム・コントローラ）、９６，１１０  画像変換手段（ＣＣＤ）、１５５  縦横比情報検出手段（検出器）、１５６  フレーム位置信号検出手段（検出器）
【図１】
0003726348.tif 000004
【図２】
0003726348.tif 000005
【図３】
0003726348.tif 000006
【図４】
0003726348.tif 000007
【図５】
0003726348.tif 000008
【図６】
0003726348.tif 000009
【図７】
0003726348.tif 000010
【図８】
0003726348.tif 000011
【図９】
0003726348.tif 000012
【図１０】
0003726348.tif 000013
【図１１】
0003726348.tif 000014
【図１２】
0003726348.tif 000015
【図１３】
0003726348.tif 000016
【図１４】
0003726348.tif 000017
【図１５】
0003726348.tif 000018
【図１６】
0003726348.tif 000019
【図１７】
0003726348.tif 000020
【図１８】
0003726348.tif 000021
【図１９】
0003726348.tif 000022
【図２０】
0003726348.tif 000023
【図２１】
0003726348.tif 000024
【図２２】
0003726348.tif 000025
【図２３】
0003726348.tif 000026
【図２４】
0003726348.tif 000027
【図２５】
0003726348.tif 000028
【図２６】
0003726348.tif 000029
【図２７】
0003726348.tif 000030
【図２８】
0003726348.tif 000031
【図２９】
0003726348.tif 000032
【図３０】
0003726348.tif 000033
【図３１】
0003726348.tif 000034
【図３２】
0003726348.tif 000035
【図３３】
0003726348.tif 000036
【図３４】
0003726348.tif 000037